(57)【要約】  水濾過装置（３）にはフィルタ素子（４）が取り付けられ、フィルタ素子（４）の端部に入水口（４１）および出水口（４３）を有する。水濾過装置（３）は、本体（３１）と主フレーム（３３）とを含む。本体（３１）は第１枢動部材を有し、主フレーム（３３）は本体（３１）の第１枢動部材に枢動可能に連結されている第２枢動部材を有し、これにより、主フレーム（３３）は本体（３１）に対して、フィルタ素子（４）を使用して水を濾過するための第１角度（Ａ１）と、フィルタ素子（４）を取り替えるための第２角度（Ａ２）との間で枢動する。主フレーム（３３）は底部を有し、且つ底部に位置してフィルタ素子（４）と固定するためのフィルタ素子取付部（３３１）を含む。フィルタ素子取付部（３３１）は、フィルタ素子（４）の入水口（４１）と出水口（４３）とにそれぞれ取り付けられて、流体が通じる第１管端（３３３）および第２管端（３３５）を有する。【選択図】図４
2015504774.tif 000002
【特許請求の範囲】
【請求項１】
フィルタ素子が取り付けられており、前記フィルタ素子の端部に入水口および出水口を有する水濾過装置であって、
第１枢動部材を有する本体と、
前記本体の前記第１枢動部材に枢動可能に連結されている第２枢動部材を有する主フレームであって、前記本体に対して、前記フィルタ素子を使用して水を濾過するための第１角度と、前記フィルタ素子を取り替えるための第２角度との間で枢動する主フレームと、を含み、
前記主フレームが、底部を有し、且つ前記底部に位置して前記フィルタ素子と固定するためのフィルタ素子取付部を含み、
前記フィルタ素子取付部は、前記フィルタ素子の前記入水口と前記出水口とにそれぞれ取り付けられて、流体が通じる第１管端および第２管端を有する、水濾過装置。
【請求項２】
前記本体の前記第１枢動部材がＵ字型溝を含み、前記主フレームの前記第２枢動部材が突出軸を含み、前記本体の前記Ｕ字型溝と前記主フレームの前記突出軸とが枢動可能に連結されている、請求項１に記載の水濾過装置。
【請求項３】
前記水濾過装置が相反する第１側および第２側を有し、前記本体の頂部が前記第１側および前記第２側に２つの前記Ｕ字型溝を含み、前記主フレームが前記第１側および前記第２側に２つの前記突出軸を含み、前記本体の前記頂部における前記複数のＵ字型溝と、前記主フレームにおける前記複数の突出軸とがそれぞれ枢動可能に連結されている、請求項２に記載の水濾過装置。
【請求項４】
前記水濾過装置が、前記本体と前記主フレームとの間に設置されている回転防止装置をさらに含んでおり、前記回転防止装置は、前記主フレームが使用者によって付加される外力を受けないとき、前記主フレームが前記本体に対して回転することを一時的に防止する、請求項１に記載の水濾過装置。
【請求項５】
前記回転防止装置が、歯を有する板バネを前記本体に含み、前記回転防止装置が円弧ラインに沿ったラックを前記主フレームに含み、前記板バネの前記歯と前記ラックとが組み合わさることにより、前記外力を受けないときに、前記板バネを利用して、前記主フレームが前記本体に対して回転することを一時的に防止する、請求項４に記載の水濾過装置。
【請求項６】
前記水濾過装置が相反する第１側および第２側を有し、前記回転防止装置が前記本体において、前記歯を有する２つの前記板バネを前記第１側および前記第２側に含み、前記回転防止装置が前記主フレームにおいて、２つの前記ラックを前記第１側および前記第２側に含み、前記複数の板バネの前記複数の歯が、それぞれ前記複数のラックと組み合わさることにより、前記外力を受けないときに、前記複数の板バネを利用して、前記主フレームが前記本体に対して回転することを一時的に防止する、請求項５に記載の濾過型浄水装置。
【請求項７】
前記回転防止装置の前記ラックがブロック部および末端歯を有し、前記末端歯にギャップが形成され、前記フィルタ素子を取り替える前記第２角度まで前記主フレームが前記本体に対して枢動するとき、前記板バネの前記歯と前記末端歯の前記ギャップとが組み合わさり、前記ブロック部が前記本体に当接し、前記板バネの前記歯が前記ラックから離脱することを防止する、請求項５に記載の水濾過装置。
【請求項８】
前記水濾過装置が相反する第３側および第４側を有し、前記主フレームの前記第２枢動部材が、前記回転防止装置が近接して設置される前記第３側とは相反する前記第４側に近接して設置されている突出軸を含んでおり、前記本体の前記第１枢動部材がＵ字型溝を含み、前記Ｕ字型溝の開口部が前記第４側に向いている、請求項４に記載の水濾過装置。
【請求項９】
前記回転防止装置が、前記本体の前記第１枢動部材と前記主フレームの前記第２枢動部材との間で高い摩擦力を生じさせ、前記外力を受けないときに、前記高い摩擦力を利用して、前記主フレームが前記本体に対して回転することを一時的に防止する、請求項４に記載の水濾過装置。
【請求項１０】
前記回転防止装置は、前記主フレームの前記第２枢動部材に複数の歯を設置し、前記回転防止装置が前記本体の前記第１枢動部材に歯を有する板バネを含み、前記板バネが前記第２枢動部材に近接して前記第１枢動部材に設置されており、前記板バネの前記歯が、前記第２枢動部材の前記複数の歯と組み合わさることにより、前記外力を受けないときに、前記板バネを利用して、前記主フレームが前記本体に対して回転することを一時的に防止する、請求項４に記載の水濾過装置。
【請求項１１】
前記フィルタ素子を取り替える前記第２角度まで前記主フレームが前記本体に対して枢動するとき、前記本体に対して前記主フレームを前記第２角度に固定するための固定装置をさらに含む、請求項１に記載の水濾過装置。
【請求項１２】
前記固定装置が止め金を含み、前記本体が相応して貫通孔を有し、前記主フレームが相応して当接部を有し、前記フィルタ素子を取り替える前記第２角度まで前記主フレームが前記本体に対して枢動するとき、前記止め金が前記本体の前記貫通孔で内側にスライドして、前記主フレームの前記当接部に当接することにより、前記本体に対して前記主フレームを前記第２角度に固定する、請求項１１に記載の水濾過装置。
【請求項１３】
前記水濾過装置が相反する第１側および第２側を有し、前記固定装置が前記第１側および第２側に２つの前記止め金を含み、前記本体が前記第１側および前記第２側に相応して２つの前記貫通孔を有し、前記主フレームが前記第１側および前記第２側に相応して２つの前記当接部を有し、前記フィルタ素子を取り替える前記第２角度まで前記主フレームが前記本体に対して枢動するとき、前記複数の止め金が前記本体の前記複数の貫通孔でそれぞれ内側にスライドして、前記主フレームの前記複数の当接部にそれぞれ当接することにより、前記本体に対して前記主フレームを前記第２角度に固定する、請求項１２に記載の水濾過装置。
【請求項１４】
前記水濾過装置には２つの前記フィルタ素子が取り付けられており、前記主フレームが２つの前記フィルタ素子取付部を含む、請求項１に記載の水濾過装置。
【請求項１５】
前記２つのフィルタ素子がそれぞれ活性炭フィルタ素子と紫外線フィルタ素子とである、請求項１４に記載の水濾過装置。
【請求項１６】
前記水濾過装置が、前記本体の底部と固定される台座をさらに含む、請求項１に記載の水濾過装置。
【請求項１７】
前記水濾過装置が、前記台座と固定され前記本体および前記主フレームを収容するカバーをさらに含む、請求項１６に記載の水濾過装置。
【発明の詳細な説明】
【技術分野】
【０００１】
本発明は水濾過装置に関し、特にフィルタ素子を取り替えることができる水濾過装置に関する。
【背景技術】
【０００２】
現在、水濾過装置は家庭およびその他の公共の場所で幅広く使用されている。図１を参照されたい。既知の水濾過装置１は台座１１およびカバー１３を含む。台座１１にはフィルタ素子２が取り付けられている。カバー１３は台座１１に組み立てられ、フィルタ素子２を収容する。台座１１はフィルタ素子２の設置部分に相応して、第１管端１１１および第２管端１１３を有する。フィルタ素子２の入水口２１および出水口２３は、その底部に設置されている。これにより、台座１１の第１管端１１１および第２管端１１３は、フィルタ素子２の入水口２１と出水口２３とにそれぞれ取り付けられて、流体が通じる。
【０００３】
フィルタ素子２はいずれも一定の使用期限を有するため、フィルタ素子２を使用した時間が使用期限に達すると、使用者はフィルタ素子２を取り替える必要がある。使用者が既知の水濾過装置１のフィルタ素子２を取り替えようとするとき、使用者はまずカバー１３を台座１１から分離する必要があり、その後フィルタ素子２の入水口２１および出水口２３を台座１１の第１管端１１１および第２管端１１３から分離し、上側にフィルタ素子２を取り出す。
【発明の概要】
【発明が解決しようとする課題】
【０００４】
しかしながら、通常、フィルタ素子２を使用した場合、内部に水が残留しているため、使用者が上側にフィルタ素子２を取り出すとき、フィルタ素子２の内部に残留した水がフィルタ素子２から下側の入水口２１および出水口２３に向かって下に流出し、台座１１が残留した水で濡れる。台座１１には、通常各種の回路部品が設置されているため、台座１１が残留した水で濡れると、上記回路部品が損傷する危険がある。特に、フィルタ素子２のうちの１つが紫外線（ｕｌｔｒａｖｉｏｌｅｔ、ＵＶ）フィルタ素子であるとき、紫外線フィルタ素子２は比較的高い電圧と接続する必要がある。台座１１が残留した水で濡れると、台座１１に設置された、紫外線フィルタ素子２に接続する回路部品は、比較的高い負荷電圧のためにより損傷しやすく、このようなダメージはより危険である。
【０００５】
このことを鑑みて、フィルタ素子をより取り替えやすく、フィルタ素子を取り替えるとき、フィルタ素子の内部に残留した水が流出しにくい水濾過装置を提供することは、すでにこの業界で早急に達成したい課題となっている。
【課題を解決するための手段】
【０００６】
本発明の目的は、フィルタ素子を取り付けやすい水濾過装置を提供することであり、水濾過装置はフィルタ素子を取り替えるとき、フィルタ素子内に残存した水が下に流出しにくい。
【０００７】
上記目的を達成するため、本発明の、フィルタ素子が取り付けられている水濾過装置は、本体および主フレームを含む。フィルタ素子の端部は入水口および出水口を有する。本体は第１枢動部材を有する。主フレームは、本体の第１枢動部材に枢動可能に連結されている第２枢動部材を有し、これにより、主フレームは本体に対して、フィルタ素子を使用して水を濾過するための第１角度と、フィルタ素子を取り替えるための第２角度との間で枢動する。主フレームは底部を有し、且つ底部に位置してフィルタ素子と固定するためのフィルタ素子取付部を含む。フィルタ素子取付部は、フィルタ素子の入水口と出水口とにそれぞれ取り付けられて、流体が通じる第１管端および第２管端を有する。
【図面の簡単な説明】
【０００８】
【図１】既知の水濾過装置の概要図である。
【図２】本発明の水濾過装置の外観概要図である。
【図３】本発明の水濾過装置の立体概要図である。
【図４】本発明の水濾過装置の主フレームが、フィルタ素子を使用して水を濾過する第１角度にある概要図である。
【図５】本発明の水濾過装置の主フレームが、フィルタ素子を取り替える第２角度にある概要図である。
【図６】本発明の水濾過装置に取り付けられているフィルタ素子の立体概要図である。
【図７】本発明の水濾過装置のフィルタ素子取付部とフィルタ素子を取り付けた断面概要図である。
【図８】本発明の水濾過装置の主フレームが、フィルタ素子を使用して水を濾過する第１角度にある拡大側面概要図である。
【図９】本発明の水濾過装置の主フレームが、フィルタ素子を取り替える第２角度にある拡大側面概要図である。
【図１０】本発明の水濾過装置における固定装置の部分立体拡大図である。
【発明を実施するための形態】
【０００９】
（実施例）
まず図２および６を参照されたい。本発明の水濾過装置３には、少なくとも１つのフィルタ素子４が取り付けられている。各フィルタ素子４の端部に入水口４１および出水口４３を有する。図３および図４を参照されたい。本発明の水濾過装置３は、本体３１および主フレーム３３を含む。本体３１は、第１枢動部材を有する。主フレーム３３は、本体３１の第１枢動部材に枢動可能に連結されている第２枢動部材を有し、これにより、主フレーム３３は本体３１に対して、フィルタ素子４を使用して水を濾過するための第１角度Ａ１（図４および８を参照のこと）と、フィルタ素子４を取り替えるための第２角度Ａ２（図５および９を参照のこと）との間で枢動する。第２角度Ａ２は通常９０度以下である。
【００１０】
図４および５を参照されたい。本実施例において、主フレーム３３と本体３１との好ましい枢動可能な連結方式を以下の通り説明する。本実施例の本体３１の第１枢動部材はＵ字型溝３１３を含み、主フレーム３３の第２枢動部材は突出軸３３９を含み、本体３１の頂部のＵ字型溝３１３と主フレーム３３の突出軸３３９とが枢動可能に連結されている。好ましくは、本体３１がより平衡に主フレーム３３を支持することができるようにするため、本体３１の頂部は、水濾過装置３の相反する第１側３ａおよび第２側３ｂに２つのＵ字型溝３１３を含み、主フレーム３３は、水濾過装置３の第１側３ａおよび第２側３ｂに２つの突出軸３３９を含む。本体３１の頂部のこの２つのＵ字型溝３１３と、主フレーム３３のこの２つの突出軸３３９とがそれぞれ枢動可能に連結されている。
【００１１】
図３を参照されたい。主フレーム３３は底部を有し、且つ底部に位置してフィルタ素子４と固定するためのフィルタ素子取付部３３１を含む。図７を合わせて参照されたい。フィルタ素子取付部３３１は、フィルタ素子４の入水口４１と出水口４３とにそれぞれ取り付けられて、流体が通じる第１管端３３３および第２管端３３５を有する。
【００１２】
図３を参照されたい。本発明の特定の実施例を以下のように説明する。本体３１は頂部を有し、主フレーム３３は本体３１の頂部に枢動可能に連結されている。しかし、主フレーム３３と本体３１はその他の位置でも枢動可能に連結することができる。本発明の水濾過装置３には２つのフィルタ素子４が取り付けられており、主フレーム３３は２つのフィルタ素子取付部３３１を含み、それぞれこの２つのフィルタ素子４に取り付けられる。フィルタ素子４とフィルタ素子取付部３３１とは、ねじ山を利用して回転方式で取り付けられている。図６および７に示すように、本実施例において、２つのフィルタ素子４はそれぞれ活性炭フィルタ素子４ａと紫外線（ｕｌｔｒａｖｉｏｌｅｔ、ＵＶ）フィルタ素子４ｂとである。しかし、本発明の水濾過装置３は２つのフィルタ素子４を取り付けるだけに限定されず、フィルタ素子４は様々なタイプとすることもできる。図６および７に示すように、各フィルタ素子４は、出水口４３に対して出水口４３の側面に環状に設置されている複数の入水口４１を含むことができ、一方、主フレーム３３の各フィルタ素子取付部３３１の各第１管端３３３も環状を呈することができ、同時に各フィルタ素子４の環状に設置された複数の入水口４１に取り付けられて流体が通じる。また、主フレーム３３の各フィルタ素子取付部３３１の第２管端３３５は、各フィルタ素子４の頂面に設置されている出水口４３に取り付けられて、流体が通じる。
【００１３】
図２および３に示すように、本発明の水濾過装置３は、さらに台座３９１およびカバー３９３を含む。台座３９１が本体３１の底部と固定されることにより、水濾過装置３は安定して据え置かれる。カバー３９３は台座３９１と固定され、本体３１および主フレーム３３を収容する。
【００１４】
図５を参照されたい。本発明の水濾過装置３は、さらに回転防止装置３７を含んでいる。回転防止装置３７は、本体３１と主フレーム３３との間に設置されており、回転防止装置３７は、主フレーム３３が使用者によって付加される外力を受けないとき、主フレーム３３が本体３１に対して回転することを一時的に防止する。使用者が外力を付加して、フィルタ素子４を取り替える第２角度Ａ２まで主フレーム３３を本体３１に対して枢動させ、固定装置３５で本体３１に対して主フレーム３３を第２角度Ａ２に固定していない過程において、回転防止装置３７は、主フレーム３３およびフィルタ素子４が重力により元の方向に回転し、使用者が挟まり怪我することを防止するのに適している。
【００１５】
さらに図８および図９を参照されたい。回転防止装置３７は本体３１に歯３７３を有する板バネ３７１を含み、回転防止装置３７は主フレーム３３に円弧ラインに沿ったラック３７５を含む。板バネ３７１の歯３７３とラック３７５とが組み合わさることにより、外力を受けないときに、板バネ３７１を利用して、主フレーム３３が本体３１に対して回転することを一時的に防止する。好ましくは、回転防止装置３７のラック３７５は、ブロック部３７７および末端歯３７９を有し、末端歯３７９にギャップ３７９ａが形成される。図９に示すように、フィルタ素子４を取り替える第２角度Ａ２まで主フレーム３３が本体３１に対して枢動するとき、板バネ３７１の歯３７３と末端歯３７９のギャップ３７９ａとが組み合わさり、ブロック部３７７が本体３１に当接し、板バネ３７１の歯３７３がラック３７５から離脱することを防止する。
【００１６】
図４および５を参照されたい。回転防止装置３７は好ましくは本体３１において、歯３７３を有する２つの板バネ３７１を、水濾過装置３の相反する第１側３ａおよび第２側３ｂに含み、回転防止装置３７は主フレーム３３において、２つのラック３７５を、水濾過装置３の第１側３ａおよび第２側３ｂに含む。この２つの板バネ３７１の２つの歯３７３と、この２つのラック３７５とがそれぞれ組み合わさることにより、外力を受けないときに、板バネ３７１を利用して、主フレーム３３が本体３１に対して回転することを一時的に防止する。
【００１７】
図４および５を参照されたい。水濾過装置３は相反する第３側３ｃおよび第４側３ｄを有する。好ましくは、本体３１の第１枢動部材のＵ字型溝３１３、および主フレーム３３の第２枢動部材の突出軸３３９は、回転防止装置３７が近接して設置される第３側３ｃとは相反する第４側３ｄに近接して設置されており、本体３１の第１枢動部材のＵ字型溝３１３の開口部は、第４側３ｄに向いている。主フレーム３３の突出軸３３９は、第４側３ｄから本体３１のＵ字型溝３１３に滑り込ませるのに適しており、さらに回転防止装置３７の板バネ３７１の歯３７３は、ラック３７５と組み合わされる。これにより、主フレーム３３と本体３１は、比較的容易に組み立てることができる。
【００１８】
本発明の回転防止装置３７は、その他のタイプを有することもできる。例えば、回転防止装置３７は、本体３１の第１枢動部材と主フレーム３３の第２枢動部材との間で高い摩擦力を生じさせ、主フレーム３３が使用者によって付加される外力を受けないときに、高い摩擦力を利用して、主フレーム３３が本体３１に対して回転することを一時的に防止することができる。あるいは、回転防止装置３７にラック３７５を設置せず、主フレーム３３の第２枢動部材に複数の歯を設置することもできる。例えば、突出軸３３９に複数の歯を設置し、歯３７３を有する板バネ３７１を、第２枢動部材に近接させて第１枢動部材に設置し、例えば歯３７３を有する板バネ３７１をＵ字型溝３１３に設置する。この状況において、板バネ３７１の歯３７３と、第２枢動部材の突出軸３３９の歯とが組み合わさることにより、外力を受けないときに、板バネ３７１を利用して、主フレーム３３が本体３１に対して回転することを一時的に防止する。
【００１９】
図４および５を参照されたい。水濾過装置３はさらに固定装置３５を含む。フィルタ素子４を取り替える第２角度Ａ２まで主フレーム３３が本体３１に対して枢動するとき、固定装置３５は本体３１に対して主フレーム３３を第２角度Ａ２に固定する。本発明の水濾過装置３は、主フレーム３３が本体３１に対して第２角度Ａ２にあり、フィルタ素子４を本体３１の外に突出させるとき、フィルタ素子４を簡単に取り替えるのに適している。
【００２０】
図４、図５、図９および図１０を参照されたい。詳細に述べると、本発明の水濾過装置３の固定装置３５は止め金３５１を含んでよく、本体３１が相応して貫通孔３１１を有し、主フレーム３３が相応して当接部３３７を有する。フィルタ素子４を取り替える第２角度Ａ２まで主フレーム３３が本体３１に対して枢動するとき、止め金３５１は本体３１の貫通孔３１１で内側にスライドして、主フレーム３３の当接部３３７に当接し、これにより、本体３１に対して主フレーム３３を第２角度Ａ２に固定する。図に示すように、本実施例において、主フレーム３３の当接部３３７は、ラック３７５と統合されて末端歯３７９に近接する。ラック３７５は主フレーム３３と固定されるため、主フレーム３３が本体３１に対して第２角度Ａ２まで枢動するとき、止め金３５１は貫通孔３１１で内側にスライドして、主フレーム３３のラック３７５と統合された当接部３３７に当接することにより、本体３１に対して主フレーム３３を第２角度Ａ２に固定するのに適している。
【００２１】
好ましくは、固定装置３５は、水濾過装置３の相反する第１側３ａおよび第２側３ｂに２つの止め金３５１を含み、本体３１は、水濾過装置３の第１側３ａおよび第２側３ｂに相応して２つの貫通孔３１１を有し、主フレーム３３は第１側３ａおよび第２側３ｂに相応して２つの当接部３３７を有する。フィルタ素子４を取り替える第２角度Ａ２まで主フレーム３３が本体３１に対して枢動するとき、この２つの止め金３５１は本体３１のこの２つの貫通孔３１１でそれぞれ内側にスライドして、それぞれ主フレーム３３のこの２つの当接部３３７に当接し、これにより、本体３１に対して主フレーム３３を第２角度Ａ２に固定する。
【００２２】
このことから以下のことがわかる。本発明の水濾過装置３は、主フレーム３３全体が本体３１に対して第２角度Ａ２まで枢動し、フィルタ素子４を本体３１の外に突出させるとき、回転防止装置３７が固定装置３５を補佐することにより、本体３１に対して主フレーム３３を第２角度Ａ２に固定し、フィルタ素子４を簡単に取り替えるのに適している。さらに本発明の水濾過装置３において、フィルタ素子４を取り替えるとき、フィルタ素子４の入水口４１および出水口４３がおおよそ上を向いているため、フィルタ素子４をおおよそ下側に主フレーム３３のフィルタ素子取付部３３１から分離するとき、フィルタ素子４内に残存した水が下に流出しにくい。
【００２３】
上記実施例は本発明の好ましい実施例を例示したに過ぎず、本発明を限定するものではない。本発明の当業者は、上記実施例を参考にして容易にその他の実施例を類推することができる。本案の特許範囲は、特許請求の範囲の記載を基準とするべきである。
【符号の説明】
【００２４】
１…水濾過装置、１１…台座、１１１…第１管端、１１３…第２管端、１３…カバー、２…フィルタ素子、２１…入水口、２３…出水口、３…水濾過装置、３１…本体、３１１…貫通孔、３１３…Ｕ字型溝、３３…主フレーム、３３１…フィルタ素子取付部、３３３…第１管端、３３５…第２管端、３３７…当接部、３３９…突出軸、３５…固定装置、３５１…止め金、３７…回転防止装置、３７１…板バネ、３７３…歯、３７５…ラック、３７７…ブロック部、３７９…末端歯、３７９ａ…ギャップ、３９１…台座、３９３…カバー、３ａ…第１側、３ｂ…第２側、３ｃ…第３側、３ｄ…第４側、４…フィルタ素子、４１…入水口、４３…出水口、４ａ…活性炭フィルタ素子、４ｂ…紫外線フィルタ素子、Ａ１…第１角度、Ａ２…第２角度。
【図１】
2015504774.tif 000003
【図２】
2015504774.tif 000004
【図３】
2015504774.tif 000005
【図４】
2015504774.tif 000006
【図５】
2015504774.tif 000007
【図６】
2015504774.tif 000008
【図７】
2015504774.tif 000009
【図８】
2015504774.tif 000010
【図９】
2015504774.tif 000011
【図１０】
2015504774.tif 000012
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
一端に入水口および出水口が設けられたフィルタ素子を取り付けるための水濾過装置であって、
第１枢動部材を有する本体と、
前記本体の前記第１枢動部材に枢動可能に連結されている第２枢動部材を有する主フレームであって、前記本体に対して、前記フィルタ素子を使用して水を濾過するための第１角度と、前記フィルタ素子を取り替えるための第２角度との間で枢動する主フレームと、を含み、
前記主フレームが、底部を有し、且つ、前記底部に位置して前記フィルタ素子と固定するためのフィルタ素子取付部を含み、
前記フィルタ素子取付部は、前記フィルタ素子の前記入水口と前記出水口とにそれぞれ取り付けられて流体が通じる、第１管端および第２管端を有する、水濾過装置。
【請求項２】
前記本体の前記第１枢動部材がＵ字型溝を含み、前記主フレームの前記第２枢動部材が突出軸を含み、前記本体の前記Ｕ字型溝と前記主フレームの前記突出軸とが枢動可能に連結されている、請求項１に記載の水濾過装置。
【請求項３】
前記水濾過装置が、前記本体と前記主フレームとの間に設置されている回転防止装置をさらに含んでおり、前記回転防止装置は、前記主フレームが使用者からの外力を受けないとき、前記主フレームが前記本体に対して回転することを一時的に防止し、
前記回転防止装置が、歯を有する板バネを前記本体に含み、前記回転防止装置が円弧ラインに沿ったラックを前記主フレームに含み、前記板バネの前記歯と前記ラックとが組み合わさることにより、前記外力を受けないときに、前記板バネを利用して、前記主フレームが前記本体に対して回転することを一時的に防止する、請求項１に記載の水濾過装置。
【請求項４】
前記フィルタ素子を取り替える前記第２角度まで前記主フレームが前記本体に対して枢動するとき、前記本体に対して前記主フレームを前記第２角度に固定するための固定装置をさらに含み、
前記固定装置が止め金を含み、前記本体が相応して貫通孔を有し、前記主フレームが相応して当接部を有し、前記フィルタ素子を取り替える前記第２角度まで前記主フレームが前記本体に対して枢動するとき、前記止め金が前記本体の前記貫通孔で内側にスライドして、前記主フレームの前記当接部に当接することにより、前記本体に対して前記主フレームを前記第２角度に固定する、請求項１に記載の水濾過装置。
【国際調査報告】
2015504774.tif 000013
2015504774.tif 000014
2015504774.tif 000015
2015504774.tif 000016
2015504774.tif 000017
2015504774.tif 000018